(57)【特許請求の範囲】
【請求項１】
現像剤を収容する収容容器と、
前記収容容器から供給される現像剤を用いて記録材に画像を形成する画像形成部と、
前記画像形成部により画像が形成された記録材を排出する排出部と、を備え、
記録材に後処理を行う後処理装置が接続される場合に前記排出部から排出される記録材を前記後処理装置へ搬送するための中継搬送部を前記排出部に隣接する空間に装着され、前記中継搬送部には前記中継搬送部に電力を供給する電源が前記収容容器の上部に設けられ、前記電源の発熱が前記収容容器の温度に関与する画像形成装置であって、
温度を検知する検知手段と、
前記画像形成部を冷却するための第一の冷却手段と、
前記中継搬送部が装着されている場合に、前記画像形成部により記録材に画像を形成している第一の状態の後の記録材に画像を形成する動作の開始を待機している第二の状態では、前記検知手段により検知した温度が第一の温度であれば前記第一の冷却手段を停止させ、前記第一の温度よりも高い第二の温度であれば、前記第一の冷却手段を回転させるよう制御し、前記中継搬送部が装着されていない場合に、前記検知手段により検知される温度が前記第一の温度と前記第二の温度の何れでも前記第一の冷却手段を停止させるよう制御する制御手段と、
を備えることを特徴とする画像形成装置。
【請求項２】
前記制御手段は、前記中継搬送部が装着されていない場合に、前記第二の状態では、前記検知手段により検知される温度にかかわらず前記第一の冷却手段を停止させることを特徴とする請求項１に記載の画像形成装置。
【請求項３】
前記検知手段は、前記画像形成装置が使用されている環境の温度を検知することを特徴とする請求項１又は２に記載の画像形成装置。
【請求項４】
前記検知手段は、前記画像形成装置の内部で前記画像形成部の近傍の温度を検知することを特徴とする請求項１又は２に記載の画像形成装置。
【請求項５】
前記中継搬送部は、前記電源を冷却する第二の冷却手段を有することを特徴とする請求項１乃至４のいずれか１項に記載の画像形成装置。
【請求項６】
前記制御手段は、前記中継搬送部が装着されている場合、前記第二の状態では、前記検知手段により検知した温度が前記第二の温度であれば、前記第二の冷却手段の回転を停止させ、前記第二の温度よりも高い第三の温度であれば、前記第二の冷却手段を回転させることを特徴とする請求項５に記載の画像形成装置。
【請求項７】
前記画像形成部を駆動する駆動手段を冷却する第三の冷却手段を備え、
前記制御手段は、前記中継搬送部が装着されている場合、前記第二の状態では、前記検知手段により検知した温度が前記第三の温度であれば、前記第三の冷却手段の回転を停止させ、前記第三の温度よりも高い第四の温度であれば、前記第三の冷却手段を回転させることを特徴とする請求項６に記載の画像形成装置。
【請求項８】
前記制御手段は、前記中継搬送部が装着されている場合、前記第二の状態では、前記検知手段により検知した温度が前記第一の温度よりも高く前記第二の温度よりも低い第五の温度であれば、前記第一の冷却手段を回転させる動作と前記第一の冷却手段の回転を停止させる動作を繰り返すことを特徴とする請求項６に記載の画像形成装置。
【請求項９】
前記制御手段は、前記中継搬送部が装着されている場合、前記第二の状態では、前記検知手段により検知した温度が前記第二の温度、前記第三の温度及び前記第四の温度である場合の前記第一の冷却手段の回転速度よりも、前記第四の温度よりも高い第六の温度である場合の前記第一の冷却手段の回転速度を速くすることを特徴とする請求項７に記載の画像形成装置。
【請求項１０】
前記制御手段は、前記中継搬送部が装着されている場合、前記第二の状態では、前記検知手段により検知した温度が前記第三の温度及び前記第四の温度である場合の前記第二の冷却手段の回転速度よりも、前記第六の温度である場合の前記第二の冷却手段の回転速度を速くすることを特徴とする請求項９に記載の画像形成装置。
【請求項１１】
前記制御手段は、前記中継搬送部が装着されている場合、前記第二の状態では、前記検知手段により検知した温度が前記第一の温度よりも高く前記第二の温度よりも低い第五の温度である場合に前記第一の冷却手段を回転させるときの回転速度よりも、前記第四の温度よりも高い第六の温度である場合の前記第一の冷却手段の回転速度を速くすることを特徴とする請求項７に記載の画像形成装置。
【請求項１２】
前記制御手段は、前記中継搬送部が装着されている場合、前記第一の状態では、前記検知手段が検知した温度が前記第四の温度以下において前記第一の冷却手段、前記第二の冷却手段及び前記第三の冷却手段の回転速度を、前記第二の状態で前記第一の冷却手段を回転させるときの回転速度よりも速くすることを特徴とする請求項７に記載の画像形成装置。
【請求項１３】
原稿の画像を読み取る読取部を有し、前記中継搬送部は前記読取部と前記画像形成部との間に形成される空間に装着されることを特徴とする請求項１乃至１２のいずれか１項に記載の画像形成装置。
【発明の詳細な説明】
【技術分野】
【０００１】
本発明は、記録材に画像形成を行う画像形成装置に関し、特に、後処理装置を装着することが可能な画像形成装置に関する。
【背景技術】
【０００２】
従来、画像形成装置には、画像形成部と、画像形成部の上部に接続された原稿読取部と、を備え、画像形成部と原稿読取部の間に設けられた空間に、画像形成が終了した用紙が排紙される排紙部を備える構成のものがある（例えば、特許文献１参照）。このような画像形成装置に、用紙の後処理を行う後処理装置を接続する場合、画像形成装置の排紙部と後処理装置との間に中継搬送パスを設けることがある。中継搬送パスへの電力は、画像形成装置本体の小型化を図るために、中継搬送パスに搭載されている電源から供給される。
【先行技術文献】
【特許文献】
【０００３】
【特許文献１】特開２００２−３７０８６２号公報
【発明の概要】
【発明が解決しようとする課題】
【０００４】
しかし、中継搬送パスが電源を備える場合、中継搬送パスの電源が画像形成部のトナーボトルの上に配置されることとなり、中継搬送パスの電源から発生する熱によって、トナーボトル内のトナーが影響を受けるおそれがある。このため、トナーボトル近傍を、例えばファンのような冷却手段によって冷却することが必要となる。一方で、画像形成装置がスリープ状態となっているときにファンが動作すると、画像形成動作を行っているときに比較してファンの動作音が際立つおそれがある。
【０００５】
本発明は、このような状況のもとでなされたもので、ファンの動作音を低減しつつ、トナーボトル回りを冷却しトナーへの熱の影響を低減することを目的とする。
【課題を解決するための手段】
【０００６】
上述した課題を解決するために、本発明は以下の構成を備える。
【０００７】
（１）現像剤を収容する収容容器と、前記収容容器から供給される現像剤を用いて記録材に画像を形成する画像形成部と、前記画像形成部により画像が形成された記録材を排出する排出部と、を備え、記録材に後処理を行う後処理装置が接続される場合に前記排出部から排出される記録材を前記後処理装置へ搬送するための中継搬送部を前記排出部に隣接する空間に装着され、前記中継搬送部には前記中継搬送部に電力を供給する電源が前記収容容器の上部に設けられ、前記電源の発熱が前記収容容器の温度に関与する画像形成装置であって、温度を検知する検知手段と、前記画像形成部を冷却するための第一の冷却手段と、前記中継搬送部が装着されている場合に、前記画像形成部により記録材に画像を形成している第一の状態の後の記録材に画像を形成する動作の開始を待機している第二の状態では、前記検知手段により検知した温度が第一の温度であれば前記第一の冷却手段を停止させ、前記第一の温度よりも高い第二の温度であれば、前記第一の冷却手段を回転させるよう制御し、前記中継搬送部が装着されていない場合に、前記検知手段により検知される温度が前記第一の温度と前記第二の温度の何れでも前記第一の冷却手段を停止させるよう制御する制御手段と、を備えることを特徴とする画像形成装置。
【発明の効果】
【００１１】
本発明によれば、ファンの動作音を低減しつつ、トナーボトル回りを冷却しトナーへの熱の影響を低減することができる。
【図面の簡単な説明】
【００１２】
【図１】第一〜第三の実施の形態の画像形成装置を正面から見た図
【図２】第一〜第三の実施の形態の画像形成装置を上面から見た図
【図３】第一〜第三の実施の形態の画像形成装置及び用紙後処理装置のブロック図
【図４】第一〜第三の実施の形態のファンの制御を示す表
【図５】第一の実施の形態のファンの制御処理を示すフローチャート
【図６】第一の実施の形態のファンの制御を決定する処理を示すフローチャート
【図７】第一の実施の形態の胴内及び機外の用紙後処理装置を説明する図
【図８】第二の実施の形態の温度の閾値に関する説明図
【図９】第二の実施の形態のファンの制御処理を示すフローチャート
【図１０】第三の実施の形態のファンの制御処理を示すフローチャート
【発明を実施するための形態】
【００１３】
以下、本発明を実施するための形態を、実施例により図面を参照しながら詳しく説明する。
【００１４】
［第一の実施の形態］
＜画像形成装置の構成＞
図１は、第一の実施の形態の画像形成装置１００の構成を説明する図であり、画像形成装置１００の基本構成を例示した断面図である。画像形成装置１００は、ユーザーが操作をするためのユーザーインターフェース（ＵＩ）である操作部１２６を備えている。ここでは、現像装置に補給する現像剤（以下、トナーという）を収容したトナー収容容器が画像形成装置１００に対して着脱可能な構成を有する電子写真方式のフルカラーの画像形成装置１００を例示している。画像形成装置１００は、一定の間隔をおいて略水平な一直線上に配置された画像形成部であるプロセスカートリッジ１０３Ｙ、１０３Ｍ、１０３Ｃ、１０３Ｋを着脱可能に備えており、それぞれイエロー色、マゼンタ色、シアン色、ブラック色の画像を形成する。なお、色を表す添え字Ｙ、Ｍ、Ｃ、Ｋは、必要な場合を除き以下省略する。
【００１５】
各プロセスカートリッジ１０３には、それぞれ像担持体としてのドラム型の電子写真感光体（以下、感光ドラムという）１０４が設置されている。感光ドラム１０４の周囲には、一次帯電器１０９、現像装置１０５、ドラムクリーナ装置１１２がそれぞれ配置されている。更に中間転写ベルト１０１を介して各感光ドラム１０４の対向位置には、一次転写ローラ１１４がそれぞれ配置されている。更に、一次帯電器１０９と現像装置１０５との間の下方には、露光装置１０８が設置されている。感光ドラム１０４は、負帯電有機光導伝体でアルミニウム製のドラム基体上に光導電層を有しており、駆動装置（不図示）によって所定のプロセススピードで回転駆動される。
【００１６】
帯電手段としての一次帯電器１０９は、帯電電圧電源（不図示）から印加される帯電電圧によって感光ドラム１０４の表面を負極性の所定電位に均一に帯電する。現像装置１０５は、トナー（現像剤）を内蔵し、それぞれ各感光ドラム１０４上に形成される各静電潜像に各色のトナーを付着させてトナー像として現像（可視像化）する。一次転写手段としての一次転写ローラ１１４は、感光ドラム１０４に対向するように中間転写ベルトユニット１１５内に配設され、感光ドラム１０４に向けて付勢されるよう配置されている。ドラムクリーナ装置１１２は、感光ドラム１０４上のトナー像を中間転写ベルト１０１上に転写した後に感光ドラム１０４上に残留したトナーを感光ドラム１０４から除去するためのクリーニング手段であり、クリーニングブレード等を有している。
【００１７】
中間転写ベルトユニット１１５は、二次転写対向ローラを兼ねる駆動ローラ１１６と、図示しない駆動ローラ軸上のギアを備え、同じく図示しない本体上の駆動ギアにより回転駆動される。駆動ローラ１１６は、中間転写ベルト１０１を介して二次転写ローラ１１７と対向するよう配置されている。中間転写ベルトユニット１１５上に形成された、濃度検知用又は色ずれ補正用のトナーパッチを読み取るための光センサ１４０が、二次転写部よりも記録材（以下、用紙という）の搬送方向における上流側で読み取ることができるように配置されている。ここで、二次転写部とは、駆動ローラ１１６と二次転写ローラ１１７のニップ部であり、中間転写ベルト１０１上のトナー像が用紙に転写される位置をいう。また、二次転写ローラ１１７の用紙の搬送方向における下流側には、定着ローラ１１８と加圧ローラ１１９を有する定着装置１２７が設置されている。図１に示すように、本実施の形態の画像形成装置１００は、用紙が給紙されてトナー像が用紙に転写され、転写された未定着のトナー像が用紙に定着されて排紙されるまでの搬送路が、画像形成装置１００の設置面に対して上下方向に設けられている。以下、このような構成を縦パスという。
【００１８】
露光装置１０８は、与えられる画像情報の時系列電気デジタル画素信号に対応した発光を行うレーザー発光手段で構成されている。露光装置１０８は、各感光ドラム１０４に露光を行うことによって、各一次帯電器１０９で帯電された各感光ドラム１０４の表面に画像情報に応じた各色の静電潜像を形成する。機外の温湿度を測定する検知手段である機外温度センサ１４１は、画像形成装置１００内で外気に近い場所に配置される。また、画像形成装置１００内の温度を測る検知手段である機内温度センサ１４２は、画像形成装置１００内部の所定の位置に配置されている。なお、本実施の形態では、機内温度センサ１４２は、露光装置１０８の近傍に配置されている。ここで、機内温度センサ１４２は必ずしも露光装置１０８周辺である必要はなく、例えば、トナーボトル１３０の周辺や、プロセスカートリッジ１０３の周辺など、温度制御を行う対象となる部材の近傍に配置される。第一の冷却手段である本体ファン１４５は、トナーボトル１３０周辺など、画像形成装置１００本体内が冷却できるような位置に配置されている。また第三の冷却手段である本体ファン１４９（図３参照）は、後述する駆動手段であるモータ７００等の電装部品を冷却するためのファンであり、モータ７００等の電装部品を冷却できるような位置に配置されていればよい。
【００１９】
画像形成装置１００の外側には、用紙後処理装置１５０が装着されており、画像形成装置１００と用紙後処理装置１５０によって画像形成システムが構成されている。また、中継部である中継搬送パス１４８が、画像形成装置１００の胴内に配置されている。なお、画像形成装置１００の胴内とは、画像形成装置１００と、画像形成装置１００の上部に設置された後述する原稿読取装置１２０との間の空間をいう。中継搬送パス１４８は、画像形成装置１００の胴内に設けられた排紙口から排出される用紙を用紙後処理装置１５０に搬送するために設けられている。中継搬送パス１４８の内部には、中継搬送パス１４８と用紙後処理装置１５０に供給するための電力を生成する補助電源１４７と、補助電源１４７を冷却するための第二の冷却手段である中継搬送ファン１４６が配置されている。なお、本実施の形態では、中継搬送パス１４８が配置される空間は、原稿読取装置１２０と画像形成装置１００とで形成されている。しかし、画像を形成するために画像形成装置１００と協働して動作する他の動作部と画像形成装置１００とで空間が形成されてもよく、動作部を原稿読取装置１２０に限定するものではない。
【００２０】
＜画像形成動作＞
次に、画像形成装置１００による画像形成動作について説明する。原稿読取部である原稿読取装置１２０によって原稿が読み取られ、後述するＣＰＵ６０１（図３参照）内部の処理に用いられる画像形成開始信号が出力されると、画像形成装置１００による画像形成動作が開始される。所定のプロセススピードで回転駆動された各プロセスカートリッジ１０３の各感光ドラム１０４は、それぞれ一次帯電器１０９によって一様に負極性に帯電される。そして、露光装置１０８は、外部から入力される色分解された画像信号をレーザー発光素子から照射し、各感光ドラム１０４上に各色の静電潜像を形成する。そして、感光ドラム１０４上に形成された静電潜像に、感光ドラム１０４の帯電極性（負極性）と同極性の現像電圧が印加された現像装置１０５により、各色のトナーを付着させてトナー像として可視像化する。このトナー像は、感光ドラム１０４と一次転写電圧が印加された一次転写ローラ１１４により、駆動されている中間転写ベルト１０１に転写される。ここで、一次転写電圧は、トナーと逆極性、即ち正極性の電圧である。
【００２１】
以下、同様にして、中間転写ベルトユニット１１５上にイエロー、マゼンタ、シアン、ブラックの各トナー像が順次重ね合わせられ、フルカラーのトナー像が中間転写ベルトユニット１１５の中間転写ベルト１０１上に形成される。なお、各感光ドラム１０４上に残留したトナーは、各ドラムクリーナ装置１１２に設けられたクリーナブレード等により掻き落とされ、回収される。
【００２２】
そして、中間転写ベルト１０１上に形成されたフルカラートナー像が、二次転写対向ローラでもある駆動ローラ１１６と二次転写ローラ１１７の間の二次転写部に移動する。中間転写ベルト１０１上のフルカラートナー像の先端が二次転写部に移動されるタイミングに合わせて、給紙カセット１２１又は手差しトレイ１２２から給送される用紙等の記録媒体が、二次転写部に搬送される。より詳細には、給送された用紙は、略垂直に形成された搬送パス（上述した縦パス）を搬送され、レジストレーションローラ１２３により二次転写部に搬送される。二次転写部に搬送された用紙には、トナーと逆極性（正極性）の二次転写電圧が印加された二次転写ローラ１１７により、フルカラーのトナー像が一括して転写される。中間転写ベルト１０１上のフルカラートナー像が用紙に転写された後、中間転写ベルト１０１上に残留したトナーは、転写クリーニング装置１０７で掻き落とされ、回収トナーとして回収される。
【００２３】
フルカラーのトナー像が形成された用紙は、用紙の搬送方向の下流側に位置する定着装置１２７に搬送され、定着ローラ１１８と加圧ローラ１１９との間の定着ニップ部でフルカラートナー像が加熱、加圧されて用紙の表面に熱定着される。その後、用紙は、排出ローラ１２４によって画像形成装置１００の上面の排紙部である排紙トレイ１２５上に排出されて、一連の画像形成動作を終了する。画像形成装置１００に用紙後処理装置１５０が装着されている場合は、画像形成処理が終了した用紙は排出ローラ１２４によって中継搬送パス１４８内に搬送される。中継搬送パス１４８から用紙後処理装置１５０へ受け渡された用紙は、用紙後処理装置１５０によって公知の後処理が実施された後、用紙後処理装置１５０のトレイ１５１又はトレイ１５２に排出されて、一連の画像形成動作を終了する。
【００２４】
＜補助電源とトナーボトルの位置関係＞
図２は、図１の画像形成装置１００と用紙後処理装置１５０を上から見た図で、見易さのため原稿読取装置１２０を取り外して画像形成装置１００を上から見た様子を示す図である。ここで、操作部１２６が配置されている方向が画像形成装置１００の前面であり、画像形成装置１００の背面には、画像形成装置１００本体の制御基板６００や電源部である本体電源６２０などの基板、及びモータ７００などの電装部品が配置されている。また、用紙後処理装置１５０の制御基板６６０が用紙後処理装置１５０の背面側に配置され、画像形成装置１００の胴内に配置されている中継搬送パス１４８には、背面に制御基板６５０が配置されている。また、中継搬送パス１４８には、補助電源１４７の長手方向が前面から背面にかけて配置され、補助電源１４７を冷却する中継搬送ファン１４６が補助電源１４７内に配置されている。ただし、中継搬送ファン１４６は、補助電源１４７を冷却できる場所であれば、必ずしも補助電源１４７内に配置される必要はない。
【００２５】
このような構成において、画像形成装置１００の本体内のトナーボトル１３０は、排紙トレイ１２５の下にトナーボトル１３０の長手方向が前面から背面にかけて配置されている。このため、特にトナーボトル１３０Ｃ、１３０Ｋに関しては、補助電源１４７の真下に配置されることになる。補助電源１４７とトナーボトル１３０とがこのような位置関係にあるため、補助電源１４７が動作して温度が上昇している場合、補助電源１４７の下にあるトナーボトル１３０Ｃ、１３０Ｋは、補助電源１４７の温度上昇の影響を受けやすい。トナーボトル１３０Ｃ、１３０Ｋでは、補助電源１４７の温度上昇の影響によりトナーが固まってしまうおそれがあるため、後述するような制御が必要となる。
【００２６】
＜制御ブロック＞
図３は、本実施の形態の制御ブロックを示す図であり、図中、一点鎖線より左側が画像形成装置１００の本体側、右側が中継搬送パス１４８及び用紙後処理装置１５０側（オプション側）である。画像形成装置１００の全体の制御を行う制御基板６００は、中央演算処理装置としてＣＰＵ６０１、ＡＳＩＣ６０２、ファン駆動回路６０７、６１１を有している。ＣＰＵ６０１は、ＲＯＭ６０３に記憶された各種プログラムに従って、ＲＡＭ６０９を作業領域として使用しながら、画像形成装置１００を制御する。ＣＰＵ６０１は、タイマ機能も有している。ＡＳＩＣ６０２は、本体ファン１４５、１４９の駆動に関わる機能やその他の負荷を制御する機能をハードウェア化したもので、ＣＰＵ６０１の演算処理を軽減している。
【００２７】
ファン駆動回路６０７、６１１は、ＡＳＩＣ６０２からファン制御信号が入力され、入力されたファン制御信号に応じて本体ファン１４５、１４９をそれぞれ回転駆動している。ファン駆動回路６０７は、本体ファン１４５を、ファン駆動回路６１１は本体ファン１４９を、例えば直流電圧２４Ｖ（以下、単に２４Ｖとする）や直流電圧１２Ｖ（以下、単に１２Ｖとする）といった駆動電圧で、それぞれ駆動することが可能である。ファン駆動回路６０７、６１１が本体ファン１４５、１４９を２４Ｖで駆動しているとき、本体ファン１４５、１４９は全速で回転される。一方、ファン駆動回路６０７、６１１が本体ファン１４５、１４９を１２Ｖで駆動しているとき、本体ファン１４５、１４９は半速で回転される。本体ファン１４５が駆動されることによって、少なくともトナーボトル１３０周辺を冷却することができるような構成となっている。また、本体ファン１４９が駆動されることによって、少なくともモータ７００等の電装部品を冷却することができるような構成となっている。本体ファン１４５、１４９は、半速で回転しているときに比較して、全速で回転しているときの方が、それぞれトナーボトル１３０等、モータ７００等を冷却する効果が高い。
【００２８】
機内温度センサ１４２は、例えば露光装置１０８周辺の温度を検知して検知した温度に応じた信号を、ＣＰＵ６０１のＡ／Ｄポート６１０に出力する。ＣＰＵ６０１は、Ａ／Ｄポート６１０に入力された機内温度センサ１４２からの信号を読み取り、入力された機内温度センサ１４２の検知結果を、本体ファン１４５、１４９の制御にフィードバックしている。また、機外温度センサ１４１により検知した温度に応じた信号もＣＰＵ６０１のＡ／Ｄポート６１０に出力され、ＣＰＵ６０１はＡ／Ｄポート６１０に入力された機外温度センサ１４１の検知結果を読み取っている。なお、Ａ／Ｄポート６１０がＡＳＩＣ６０２に搭載されている場合は、機内温度センサ１４２及び／又は機外温度センサ１４１による検知結果をＡＳＩＣ６０２で読み取っても同様の制御が可能である。
【００２９】
本体電源６２０は、画像形成装置１００本体の制御基板６００及び操作部１２６に電力を供給している（図中、濃い矢印で示す）。更に、本体電源６２０は、ＡＳＩＣ６０２を介して制御されるスイッチ（以下、ＳＷとする）６０８によって、中継搬送パス１４８の補助電源１４７へ電力を供給（ＯＮ）又は遮断（ＯＦＦ）できる構成になっている。ＣＰＵ６０１は、補助電源１４７を動作させる場合にはＡＳＩＣ６０２を介してＳＷ６０８をオンにし、補助電源１４７の動作を停止させる場合にはＡＳＩＣ６０２を介してＳＷ６０８をオフにする。なお、ＣＰＵ６０１がＡＳＩＣ６０２を介さず直接ＳＷ６０８を制御する構成としてもよい。中継搬送パス１４８の制御基板６５０及び用紙後処理装置１５０の制御基板６６０は、補助電源１４７から電力を供給されている。画像形成装置１００本体の制御基板６００のＣＰＵ６０１と中継搬送パス１４８の制御基板６５０のＣＰＵ６５１は、通信を行って互いに各種情報を送受信している。また、用紙後処理装置１５０の制御基板６６０のＡＳＩＣ６６１は、中継搬送パス１４８の制御基板６５０のＣＰＵ６５１と通信を行って互いに各種情報を送受信している。
【００３０】
補助電源１４７を冷却するための中継搬送ファン１４６は、ＣＰＵ６５１から出力されるファン制御信号により、ファン駆動回路６５２を介して回転駆動される。ファン駆動回路６５２は、中継搬送ファン１４６に例えば２４Ｖや１２Ｖを印加することで中継搬送ファン１４６を駆動することが可能である。ファン駆動回路６５２が中継搬送ファン１４６を２４Ｖで駆動しているとき中継搬送ファン１４６は全速で回転される。一方、ファン駆動回路６５２が中継搬送ファン１４６を１２Ｖで駆動しているとき、中継搬送ファン１４６は半速で回転される。中継搬送ファン１４６は、半速で回転しているときに比較して、全速で回転しているときの方が、補助電源１４７を冷却する効果が高い。
【００３１】
用紙後処理装置１５０にはトレイモータ６６３などの駆動負荷部品が接続されており、トレイモータ６６３はモータ駆動回路６６２を介してＡＳＩＣ６６１により制御される。ここで、用紙後処理装置１５０の制御基板６６０ではＡＳＩＣ６６１が制御を行っているが、ＣＰＵを用いても同様の制御ができる。また、ＣＰＵ６５１に関してはＡＳＩＣに置き換えて、ＣＰＵ６０１により通信制御を行う構成としても同様の制御が可能である。
【００３２】
＜ファンの制御＞
ここで、図４を用いて本実施の形態の特徴的なファンの制御を説明する。図４の表において、一列目は画像形成装置１００が使用されている環境（使用環境）の温度を示しており、具体的には機外温度センサ１４１により検知した温度（℃）を示す。図４の表の二列目は、本実施の形態の画像形成システムに備えられているファンの種類を示す。図４の表の三列目は、用紙後処理装置１５０及び中継搬送パス１４８が画像形成装置１００に装着されているとき（装着時）、四列目は用紙後処理装置１５０及び中継搬送パス１４８が画像形成装置１００に装着されていないとき（未装着時）を示す。更に、図４の表の三列目、四列目はそれぞれ、第一の状態である画像形成状態（プリント状態ともいう）と第二の状態であるスタンバイ状態のそれぞれのファンの駆動電圧（Ｖ）、動作状態（連続動作、停止等）を示す。ここで、スタンバイ状態とは、画像形成動作の開始を待機している状態で、画像形成動作は実行していないが、ＣＰＵ６０１がジョブを受信すると直ちに画像形成動作に移行できる状態をいう。
【００３３】
なお、ＣＰＵ６０１は、中継搬送パス１４８のＣＰＵ６５１との通信が確立した場合に中継搬送パス１４８が画像形成装置１００に装着されていると判断する。また、ＣＰＵ６０１は、用紙後処理装置１５０のＡＳＩＣ６６１との通信が確立した場合に用紙後処理装置１５０が画像形成装置１００に装着されていると判断する。更に、ジョブとは、一枚又は複数の用紙に画像形成を行う指示及び動作である。ＣＰＵ６０１は、他の手段を用いて中継搬送パス１４８及び用紙後処理装置１５０が画像形成装置１００に装着されているか否かを判断してもよい。
【００３４】
（用紙後処理装置及び中継搬送パスが装着されている場合）
まず、用紙後処理装置１５０及び中継搬送パス１４８が画像形成装置１００に装着されている場合について説明する。図４に示すように、ジョブが投入されて画像形成動作を実行している間は、全ての使用環境において全てのファンを２４Ｖで連続動作させている。ここで、ファンの駆動電圧が２４Ｖであるとき、ファンは全速で動作している状態となっている。次に、画像形成装置１００がスタンバイ状態であるとき、ファンの制御に関して機外温度（使用環境）毎に説明する。
【００３５】
・使用環境が第一の温度である２６℃以下の場合
画像形成装置１００がスタンバイ状態であるときに、補助電源１４７が昇温しても、トナーボトル１３０周辺の温度は所定の温度以上（例えば、４０℃以上）にはならない。このため、全てのファンは停止した状態となっている。
【００３６】
・使用環境が第二の温度である２９℃以下（２７℃〜２９℃）の場合
トナーボトル１３０周辺の温度を下げるために、画像形成動作が終了した後、本体ファン１４５を５分間（５ｍｉｎ）１２Ｖで動作させた後、６０分間（６０ｍｉｎ）停止させる。その後、５分間１２Ｖで動作、６０分間停止、という動作を繰り返す。このように、短時間の駆動と長時間の停止を繰り返す動作を、以下、間欠動作という。ここで、ファンの駆動電圧が１２Ｖであるとき、ファンは半速で動作している状態となっている。また、中継搬送ファン１４６及び本体ファン１４９は、停止した状態となっている。
【００３７】
・使用環境が第四の温度である３２℃以下（３０℃〜３２℃）の場合
画像形成動作が終了した後、本体ファン１４５を１２Ｖ、即ち半速で連続動作させて、トナーボトル１３０周辺を冷却する。また、中継搬送ファン１４６及び本体ファン１４９は、停止した状態となっている。
【００３８】
・使用環境が第五の温度である３５℃以下（３３℃〜３５℃）の場合
画像形成動作が終了した後、本体ファン１４５を１２Ｖ、即ち半速で連続動作させてトナーボトル１３０周辺を冷却するとともに、中継搬送ファン１４６を１２Ｖ、即ち半速で連続動作させて補助電源１４７を冷却する。また、本体ファン１４９は、停止した状態となっている。
【００３９】
・使用環境が第三の温度である３７℃以下（３６℃〜３７℃）の場合
画像形成動作が終了した後、本体ファン１４５を１２Ｖ、即ち半速で連続動作させてトナーボトル１３０周辺を冷却する。また、中継搬送ファン１４６も１２Ｖ、即ち半速で連続動作させて補助電源１４７を冷却する。更に、本体ファン１４９も１２Ｖ、即ち半速で連続駆動させてモータ７００などの電装部分も冷却する。
【００４０】
・使用環境が３７℃より高い場合
画像形成動作が終了した後、本体ファン１４５を２４Ｖ、即ち全速で連続動作させてトナーボトル１３０周辺を冷却する。また、中継搬送ファン１４６も２４Ｖ、即ち全速で連続動作させて補助電源１４７を冷却する。更に、本体ファン１４９も２４Ｖ、即ち全速で連続駆動させてモータ７００などの電装部分も冷却する。
【００４１】
以上のように、本実施の形態では、可能な限りファンの駆動時間を減らし、ファンを駆動する際も半速で駆動させることによって、スタンバイ中のモータの動作音を低減しつつ、昇温を抑制することが可能となる。また、機外温度センサ１４１はファンの制御以外にも使用されており、予め画像形成装置１００に搭載されていた部品を兼用して用いている。このように予め画像形成装置１００に搭載されていたセンサを使用することにより、新たなセンサを追加することなく制御を実施できるため、コストアップすることなくファンの制御を実現することができる。
【００４２】
（用紙後処理装置及び中継搬送パスが装着されていない場合）
次に、図４の表に示すように、用紙後処理装置１５０及び中継搬送パス１４８を装着していない（未装着）場合について説明する。この場合は、ジョブが投入されて画像形成動作を実行している間は、全ての使用環境において本体ファン１４５、１４９を２４Ｖ、即ち全速で連続動作させる。
【００４３】
一方、画像形成装置１００がスタンバイ状態となっているときは、全ての使用環境において本体ファン１４５、１４９の動作を停止させる。言い換えれば、スタンバイ状態へ移行する場合に中継搬送パス１４８が装着されていない場合には、使用環境にかかわらず本体ファン１４５に対して同一の制御が行われる。これは、画像形成装置１００がスタンバイ状態となっているときに、トナーボトル１３０周辺に影響を及ぼす熱源が付近に配置されていないからである。このように、用紙後処理装置１５０及び中継搬送パス１４８が装着されていない場合には、画像形成装置１００がスタンバイ状態となっているとき、画像形成システムが有する全てのファンを停止させている。即ち、装着されていない中継搬送パス１４８が有する中継搬送ファン１４６を除いた本体ファン１４５、１４９を停止させているため、ファンの動作音を低減させることができる。
【００４４】
＜ファンの制御処理＞
図５は、本実施の形態のファンの制御を説明するフローチャートであり、用紙後処理装置１５０及び中継搬送パス１４８が装着されている場合のファンの制御を説明するフローチャートである。画像形成装置１００本体の電源がオンされると、ＣＰＵ６０１は以下の処理を開始する。ステップ（以下、Ｓとする）１０２でＣＰＵ６０１は、ジョブを開始する命令を受信したか否かを判断する。Ｓ１０２でＣＰＵ６０１は、ジョブを開始する命令を受信していないと判断した場合はＳ１０２の処理を繰り返し、受信したと判断した場合はＳ１０３の処理に進む。Ｓ１０３でＣＰＵ６０１は、Ｓ１０２で受信したジョブについての画像形成動作を開始する。
【００４５】
Ｓ１０４でＣＰＵ６０１は、本体ファン１４５、本体ファン１４９及び中継搬送ファン１４６を全速で回転させる。より詳細には、ＣＰＵ６０１は、ＡＳＩＣ６０２を介してファン駆動回路６０７、６１１により本体ファン１４５、１４９を２４Ｖで駆動させる。また、ＣＰＵ６０１は、ＣＰＵ６５１を介してファン駆動回路６５２により中継搬送ファン１４６を２４Ｖで駆動させる。なお、以下の処理では、各ファンを駆動させるときの詳細な説明は省略する。Ｓ１０５でＣＰＵ６０１は、画像形成動作が終了したか否かを判断する。Ｓ１０５でＣＰＵ６０１は、画像形成動作が終了していないと判断した場合、Ｓ１０５の処理を繰り返し、画像形成動作が終了したと判断すると、Ｓ１０６の処理に進む。Ｓ１０６でＣＰＵ６０１は、機外温度センサ１４１により、画像形成装置１００の使用環境における温度である機外温度（以下、温度Ｔとする）を検知する。Ｓ１０７でＣＰＵ６０１は、機外温度センサ１４１により検知した使用環境の温度Ｔに応じて、画像形成装置１００がスタンバイ状態に移行した後に実施する各ファンの動作を決定し、スタンバイ状態に移行してファンの制御を実行する。なお、Ｓ１０７でＣＰＵ６０１が実行するファンの動作の制御は、上述したように図４の表で説明したファンの制御に基づくものである。Ｓ１０７の処理の詳細は、図６のフローチャートを用いて後述する。
【００４６】
Ｓ１０８でＣＰＵ６０１は、スタンバイ状態における各ファンの制御を実行している間に、新たなジョブを開始する命令を受信したか否かを判断する。Ｓ１０８でＣＰＵ６０１は、ジョブを開始する命令を受信したと判断した場合は、再び画像形成を開始するためにプリント状態へ移行して、Ｓ１０３の処理に戻る。Ｓ１０８でＣＰＵ６０１は、ジョブを開始する命令を受信していないと判断した場合、Ｓ１０９の処理に進む。Ｓ１０９でＣＰＵ６０１は、スリープ状態へ移行する命令又は電源をオフ（電源ＯＦＦ）する命令を受信したか否かを判断し、受信していないと判断した場合はＳ１０８の処理に戻る。この場合、ＣＰＵ６０１は、画像形成装置１００がスタンバイ状態となっているときのファン制御を実行しつつ、Ｓ１０８の処理を実行する。ここで、スリープ状態とは、例えばＣＰＵ６０１への電力供給のみが行われる等、プリント状態やスタンバイ状態に比較して消費電力を低減させた状態である。
【００４７】
Ｓ１０９でＣＰＵ６０１は、スリープ状態への移行又は電源オフの命令を受信したと判断した場合、Ｓ１１０の処理に進む。Ｓ１１０でＣＰＵ６０１は、全てのファンを停止させて、処理を終了する。より詳細には、ＣＰＵ６０１は、ＡＳＩＣ６０２を介してファン駆動回路６０７、６１１により本体ファン１４５、１４９を停止させる。また、ＣＰＵ６０１は、ＣＰＵ６５１を介してファン駆動回路６５２により中継搬送ファン１４６を停止させる。
【００４８】
＜ファンの動作決定処理及び制御処理＞
図６は、図５のＳ１０７のファンの動作決定処理及びファンの制御処理を説明するフローチャートである。Ｓ１００２でＣＰＵ６０１は、図５のＳ１０６で機外温度センサ１４１により検知した温度、即ち使用環境の温度Ｔが所定の温度以下、即ち２６℃以下であるか否かを判断する。Ｓ１００２でＣＰＵ６０１は、使用環境の温度Ｔが２６℃以下であると判断した場合、Ｓ１００３で全てのファンを停止させる。より詳細には、ＣＰＵ６０１は、ＡＳＩＣ６０２を介してファン駆動回路６０７、６１１により本体ファン１４５、１４９を停止させ、ＣＰＵ６５１を介してファン駆動回路６５２により中継搬送ファン１４６を停止させる。なお、以下の処理では、各ファンを停止させるときの詳細な説明は省略する。
【００４９】
Ｓ１００２でＣＰＵ６０１は、使用環境の温度Ｔが２６℃以下ではないと判断した場合、Ｓ１００４で使用環境の温度Ｔが２９℃以下であるか否かを判断する。Ｓ１００４でＣＰＵ６０１は、使用環境の温度Ｔが２９℃以下であると判断した場合、Ｓ１００５の処理に進む。Ｓ１００５でＣＰＵ６０１は、中継搬送ファン１４６と本体ファン１４９を停止させる。Ｓ１００６でＣＰＵ６０１は、本体ファン１４５を半速で駆動させる。また、ＣＰＵ６０１は、ＡＳＩＣ６０２を介してファン駆動回路６０７により本体ファン１４５を１２Ｖで駆動させて５分間回転させた後、６０分間停止させるという間欠動作を実行する。
【００５０】
Ｓ１００４でＣＰＵ６０１は、使用環境の温度Ｔが２９℃以下ではないと判断した場合、Ｓ１００７で使用環境の温度Ｔが３２℃以下であるか否かを判断する。Ｓ１００７でＣＰＵ６０１は、使用環境の温度Ｔが３２℃以下であると判断した場合、Ｓ１００８で中継搬送ファン１４６と本体ファン１４９を停止させる。Ｓ１００９でＣＰＵ６０１は、本体ファン１４５を半速で駆動させて、連続動作をさせる。
【００５１】
Ｓ１００７でＣＰＵ６０１は、使用環境の温度Ｔが３２℃以下ではないと判断した場合、Ｓ１０１０で使用環境の温度Ｔが３５℃以下であるか否かを判断する。Ｓ１０１０でＣＰＵ６０１は、使用環境の温度Ｔが３５℃以下であると判断した場合、Ｓ１０１１で本体ファン１４９を停止させる。Ｓ１０１２でＣＰＵ６０１は、中継搬送ファン１４６と本体ファン１４５を半速で駆動させて、中継搬送ファン１４６及び本体ファン１４５を連続動作させる。
【００５２】
Ｓ１０１０でＣＰＵ６０１は、使用環境の温度Ｔが３５℃以下ではないと判断した場合、Ｓ１０１３で使用環境の温度Ｔが３７℃以下であるか否かを判断する。Ｓ１０１３でＣＰＵ６０１は、使用環境の温度Ｔが３７℃以下であると判断した場合、Ｓ１０１４で中継搬送ファン１４６、本体ファン１４５、本体ファン１４９を半速で駆動させ、連続動作させる。Ｓ１０１３でＣＰＵ６０１は、使用環境の温度Ｔが３７℃以下ではないと判断した場合、Ｓ１０１５で全てのファンを全速で駆動させ、連続動作させる。即ち、この場合は、プリント状態からスタンバイ状態に移行した後も、全てのファンの全速、連続動作をそのまま維持する。以上のように、機外温度センサ１４１により検知した温度Ｔに応じてファンの制御方法を決定する（Ｓ１００３、Ｓ１００６、Ｓ１００９、Ｓ１０１２、Ｓ１０１４、Ｓ１０１５）。そして、ＣＰＵ６０１は、図５のＳ１０８の処理へ移行する。
【００５３】
以上、画像形成装置１００本体に用紙後処理装置１５０及び中継搬送パス１４８が装着された場合の例を説明した。画像形成装置１００の本体ファン１４５及び本体ファン１４９の制御に関しては、必ずしも用紙後処理装置１５０及び中継搬送パス１４８が装着されている場合ばかりではない。例えば、画像形成装置１００の排紙トレイ１２５上方に熱源となるものがある場合は、同様の制御で対応することができる。ここで、図７は画像形成システムの構成例を簡易に示す図である。例えば、本実施の形態の画像形成システムは、図７（ｂ）に示すように、画像形成装置１００に中継搬送パス１４８と用紙後処理装置１５０が装着されたものである。しかし、図７（ａ）に示すような構成の画像形成システム、即ち、画像形成装置１００の胴内に用紙後処理装置１５５が装着されている場合でも、上述した制御を適用できる。
【００５４】
また、本実施の形態では、機外温度センサ１４１で検知した温度に応じた制御を行っている。しかし、機内温度センサ１４２で検知した温度に応じてファンの制御を実施することも可能であり、その場合は、図４の温度に、各温度の閾値を例えば２℃、オフセットするなど、使用環境の温度と画像形成装置１００内の温度の関係を考慮して調整すればよい。
【００５５】
更に、画像形成装置１００がスタンバイ状態であるとき、補助電源１４７の昇温を抑制するために、次のようにすることも効果的である。即ち、用紙後処理装置１５０の駆動部、例えばトレイを上下移動させるトレイモータ６６３や、その他パワー系の負荷の状態を維持している電力をオフさせることも効果的である。その際、用紙後処理装置１５０のステータス（たとえば、扉の開閉やエラー）を把握しておくために、補助電源１４７から制御部であるＡＳＩＣ６６１などに供給されているロジック系の電力は供給しておく方がよい。
【００５６】
また、上述した例では、画像形成装置１００のＣＰＵ６０１が実行するとして説明したが、中継搬送パス１４８のＣＰＵ６５１により実行する構成としてもよい。この場合、例えば機外温度センサ１４１の検知結果はＣＰＵ６０１からＣＰＵ６５１に出力されるものとし、ＣＰＵ６０１とＣＰＵ６５１との間で制御に必要な情報の送受信が行われるように構成する。
【００５７】
以上、本実施の形態によれば、ファンの動作音を低減しつつ、トナーボトル回りを冷却しトナーへの熱の影響を低減することができる。
【００５８】
［第二の実施の形態］
第二の実施の形態は、第一の実施の形態と同様の構成の画像形成装置１００における本体ファン１４５又は中継搬送ファン１４６の制御に関する。ここで、機内温度センサ１４２はトナーボトル１３０周辺の温度によく追従する位置に配置されているものとし、機内温度センサ１４２で検知された温度に応じて後述するような制御を実行する。
【００５９】
＜本体ファン１４５＞
図８は画像形成動作が終了した後、画像形成装置１００がスタンバイ状態となっているときの本体ファン１４５の制御に関し、横軸に時間、縦軸に機内温度を示している。本体ファン１４５を停止している状態で機内温度が第一の温度である所定の温度Ｔ４より低い場合は、本体ファン１４５をそのまま停止（ファンＯＦＦ）させておく。そして、昇温により機内温度が所定の温度Ｔ４を超えると本体ファン１４５を回転駆動（ファンＯＮ）させる。このとき、ファンの動作音を考慮して、本体ファン１４５の速度を例えば半速に落として駆動させる。
【００６０】
本体ファン１４５を回転駆動させ、機内温度が所定の温度Ｔ４より更に低い第二の温度未満、即ち温度Ｔ５未満となったタイミングで、本体ファン１４５を停止する。そして、再び機内温度が上昇して所定の温度Ｔ４を上回ったタイミングで本体ファン１４５を回転駆動させる。即ち、本体ファン１４５の駆動を開始させる際の温度の閾値Ｔ４と、本体ファン１４５の駆動を停止させる際の温度の閾値Ｔ５とを異ならせて（Ｔ４≠Ｔ５）、ヒステリシス特性を持たせる構成とする。本実施の形態では、画像形成装置１００がスリープ状態に移行した後は、このような制御を繰り返す。ここで、所定の温度Ｔ４は例えば３８℃で、温度Ｔ５は例えば３３℃といった温度で、予め決められた値であり、ＲＯＭ６０３に予め記憶しておく。このようにファンを回転及び停止する閾値温度を変えて長周期的な制御をすることで、不必要に短期間でファンのオン、オフを繰り返すことを防止できる。これにより放射ノイズに影響を及ぼしたり、ファンの寿命を縮めたり、ファンの回転数が変化して発生する動作音の変化による影響を抑制することができる。
【００６１】
＜ファンの制御処理＞
次に図９のフローチャートを用いて本制御の動作を説明する。なお、図９のＳ２０２〜Ｓ２０５の処理は、図５のＳ１０２〜Ｓ１０５の処理と同様であり、説明を省略する。Ｓ２０６でＣＰＵ６０１は、全てのファンを停止させる。Ｓ２０７でＣＰＵ６０１は、機内温度センサ１４２により画像形成装置１００内の温度（以下、機内温度とする）を検知する。Ｓ２０８でＣＰＵ６０１は、Ｓ２０７で機内温度センサ１４２により検知した機内温度に応じて、画像形成装置１００がスタンバイ状態となっている間の各ファンの動作を決定し、スタンバイ状態に移行して、ファンの制御を実行する。Ｓ２０８でＣＰＵ６０１が実行する処理は、上述したように図８を用いて説明した本体ファン１４５のオン、オフの閾値温度を変えた制御に基づくものである。即ち、本体ファン１４５が停止している状態で、機内温度センサ１４２の検知温度が閾値温度Ｔ４を超えた場合、ＣＰＵ６０１は本体ファン１４５を半速で回転させる。また、本体ファン１４５が回転している状態で、機内温度センサ１４２の検知温度が閾値温度Ｔ５を下回った場合、ＣＰＵ６０１は本体ファン１４５の回転を停止させる。Ｓ２０９〜Ｓ２１１の処理は、図５のＳ１０８〜Ｓ１１０の処理と同様であり、説明を省略する。
【００６２】
ここでは、スタンバイ中の本体ファン１４５の制御に関して説明したが、必要に応じて中継搬送ファン１４６、本体ファン１４９にもそれぞれオン、オフの閾値温度を設定する構成としてもよい。これにより、更に冷却効果を得ることができる。
【００６３】
以上、本実施の形態によれば、ファンの動作音を低減しつつ、トナーボトル回りを冷却しトナーへの熱の影響を低減することができる。
【００６４】
［第三の実施の形態］
第三の実施の形態は第一の実施の形態又は第二の実施の形態と同様の構成の画像形成装置１００における本体ファン１４５又は中継搬送ファン１４６の制御に関する。以下、図１０を用いて本実施例の制御を説明する。
【００６５】
＜ファンの制御処理＞
Ｓ３０２、Ｓ３０３の処理は、図５のＳ１０２、Ｓ１０３の処理と同様であり説明を省略する。Ｓ３０４でＣＰＵ６０１は、本体ファン１４５を全速で回転させる。なお、本実施の形態では、本体ファン１４９と中継搬送ファン１４６は停止している。しかし、本体ファン１４９と中継搬送ファン１４６を回転させる構成としてもよい。Ｓ３０５でＣＰＵ６０１は、画像形成動作を終了する。
【００６６】
Ｓ３０６でＣＰＵ６０１は、Ｓ３０２で受信したジョブの中で、用紙後処理装置１５０を使用したか否かを判断する。ＣＰＵ６０１は、Ｓ３０２で受信したジョブの中に含まれている情報に基づいて、用紙後処理装置１５０を使用したか否かを判断する。ＣＰＵ６０１は、用紙後処理装置１５０を使用したか否かを検知する検知手段としても機能する。Ｓ３０６でＣＰＵ６０１は、用紙後処理装置１５０を使用したと判断した場合、Ｓ３０７の処理に進む。この場合、中継搬送パス１４８が昇温し、排紙トレイ１２５直下のトナーボトル１３０も影響を受けるおそれがあるため、Ｓ３０７で本体ファン１４５を半速で回転駆動させて、Ｓ３０８でスタンバイ状態に移行し、タイマをリセットしてスタートさせる。Ｓ３０９でＣＰＵ６０１は、タイマを参照することにより、予め設定された所定時間が経過したか否かを判断し、所定時間が経過していないと判断した場合はＳ３０９の処理を繰り返す。
【００６７】
Ｓ３０９でＣＰＵ６０１は、所定時間が経過したと判断した場合は、トナーボトル１３０が十分冷却されたと判断し、Ｓ３１０で本体ファン１４５を停止させて処理を終了する。なお、Ｓ３０９の所定時間は、例えばジョブで指定された画像形成の枚数に応じて決定される。例えば、ＣＰＵ６０１は、ジョブの画像形成枚数が少ないほど本体ファン１４５を回転させる時間を短くしたり、数枚であれば本体ファン１４５を停止させたりする制御を行い、ジョブの枚数が多いほど本体ファン１４５を回転させる時間を長くするよう制御する。Ｓ３０６でＣＰＵ６０１は、Ｓ３０２で受信したジョブ中で用紙後処理装置１５０を使用していないと判断した場合、Ｓ３１１の処理に進む。Ｓ３１１でＣＰＵ６０１は、本体ファン１４５を停止させ、Ｓ３１２でスタンバイ状態に移行して、処理を終了する。
【００６８】
以上のように、本実施の形態では、用紙後処理装置１５０が使用されたか否かに応じて、スタンバイ中のファン制御を変更する。これにより、温度検知センサ（機外温度センサ１４１や機内温度センサ１４２等）を用いることなく画像形成装置１００内のトナーボトル１３０周辺の冷却を効率よく実施することが可能となる。
【００６９】
なお、本実施の形態では、画像形成装置１００のスタンバイ中に本体ファン１４５を半速で制御する例を記載したが、冷却能力が更に必要であれば、次のように制御してもよい。即ち、画像形成装置１００のスタンバイ中であっても、本体ファン１４５を全速で回転させる、中継搬送ファン１４６を半速又は全速で駆動させる、本体ファン１４９を半速又は全速で駆動させる、というような制御を実施すればよい。
【００７０】
以上、本実施の形態によれば、ファンの動作音を低減しつつ、トナーボトル回りを冷却しトナーへの熱の影響を低減することができる。
【符号の説明】
【００７１】
１４１          機外温度センサ
１４２          機内温度センサ
１４５、１４９  本体ファン
１４６          中継搬送ファン
６０１          ＣＰＵ
【図１】
0006422295.tif 000002
【図２】
0006422295.tif 000003
【図３】
0006422295.tif 000004
【図４】
0006422295.tif 000005
【図５】
0006422295.tif 000006
【図６】
0006422295.tif 000007
【図７】
0006422295.tif 000008
【図８】
0006422295.tif 000009
【図９】
0006422295.tif 000010
【図１０】
0006422295.tif 000011